(57)【要約】【課題】  収納スペースを狭くすることができ、構造上の強度が高く、外力が印加されても覆い部材に負荷がかかるのを防止し得、耐久性が高く寿命が長い覆い用フレームを提供する。【解決手段】  中央ロッド５とその両側に配された側部フレーム部材２，２とを、互いに中央ロッド５の長手方向へ適宜距離を隔てて配された第１リンク部材１１，１１及び第２リンク部材１２，１２にて連結しているため、側部フレーム部材２、第１リンク部材１１、中央ロッド５、第２リンク部材１２にて構成される２つの矩形枠構造が形成され、更に両矩形枠構造内にそれぞれ斜めに掛け渡された第３リンク部材１３，１３が筋交いとして作用するため、覆い用フレーム１は十分に高い構造強度を具備する。【選択図】  図１
2013230780.tif 000002
【特許請求の範囲】
【請求項１】
条材にて構成された一対の側部フレーム部材が長手方向と交わる方向へ距離を隔てて配してあり、両側部フレーム部材の長手方向の適宜位置にそれぞれ、取付対象体に取り付けるため取付け用シャフトが垂設してあり、相互に離隔させた両側部フレーム部材の間に覆い部材を展張すべくなしてある覆い用フレームにおいて、
両側部フレーム部材の間にロッドが側部フレーム部材と同じ向きに配してあり、
該ロッドの長手方向へ距離を隔てた位置に、ロッドと両側部フレーム部材とをリンクする少なくとも二対のリンク部材が、両側部フレーム部材にて定まる面と交わる軸周りに回動自在に連結してあり、
前記ロッドの長手方向であって両対のリンク部材の間に、前記ロッドと両側部フレーム部材又は一方の対のリンク部材とをリンクして筋交いとなる一対の筋交い用リンク部材が、両側部フレーム部材にて定まる面と交わる軸周りに回動自在に連結してあり、
前記筋交い用リンク部材と前記ロッドとの連結位置は当該ロッドの長手方向において固定及び変更可能になしてある
ことを特徴とする覆い用フレーム。
【請求項２】
条材にて構成された一対の側部フレーム部材が長手方向と交わる方向へ距離を隔てて配してあり、両側部フレーム部材の長手方向の適宜位置にそれぞれ、取付対象体に取り付けるため取付け用シャフトが垂設してあり、相互に離隔させた両側部フレーム部材の間に覆い部材を展張すべくなしてある覆い用フレームにおいて、
両側部フレーム部材の間に側部フレーム部材と同じ向きに配されたロッドと、
ロッドの一端側の位置に両側部フレーム部材にて定まる面と交わる軸周りに回動自在に連結してあり、当該ロッドと両側部フレーム部材とをリンクする一対の第１リンク部材と、
両第１リンク部材からロッドの他端側へ距離を隔てた位置に前記面と交わる軸周りに回動自在に連結してあり、ロッドと両側部フレーム部材とをリンクする一対の第２リンク部材と、
第１リンク部材と第２リンク部材との間に配してあり、前記ロッドに摺動可能に外嵌された第１スライダと、
前記面と交わる軸周りに回動自在に連結してあり、両側部フレーム部材、両第１リンク部材又は両第２リンク部材と前記第１スライダとをリンクして筋交いとなる一対の第３リンク部材と
を備え、
前記第１スライダには、当該第１スライダをロッドに固定するための固定部材が設けてあり、
該固定部材を解除した場合、第１スライダをロッドの長手方向へ摺動させるとともに、両側部フレーム部材の間の寸法を変更することができ、固定部材にて固定した場合、前記第３リンク部材が側部フレーム部材と中央ロッドとの間で突っ張って、両側部フレーム部材の間の寸法を保持するようになしてある
ことを特徴とする覆い用フレーム。
【請求項３】
前記第１リンク部材は前記側部フレーム部材の長手方向の中途位置と前記ロッドの一端部との間に介装してあり、前記第２リンク部材は前記側部フレーム部材の端部と前記ロッドの他端部との間に介装してあり、
前記ロッドの周面に、ロッドと側部フレーム部材との間の寸法を第１リンク部材又は第２リンク部材の長さ寸法と略同じになしたときに前記第１スライダが当接する当接部を設けて、第１スライダがロッドの他端から前記当接部までの領域を摺動し得るようになしてある請求項２記載の覆い用フレーム。
【請求項４】
前記両取付け用シャフトは対応する側部フレーム部材に、取付け用シャフトと側部フレーム部材とで定まる面内で揺動可能に取り付けてある請求項１から３のいずれかに記載の覆い用フレーム。
【請求項５】
前記取付け用シャフトには第２スライダが、当該取付け用シャフトの長手方向へ摺動可能に外嵌してあり、
第２スライダには該第２スライダを取付け用シャフトに固定するための第２固定部材が設けてあり、
取付け用シャフトと側部フレーム部材とで定まる面に交わる軸周りに回動自在に連結してあり、前記第２スライダと側部フレーム部材とをリンクする第４リンク部材が設けてあり、
第２固定部材を解除した場合、第２スライダを取付け用シャフトの長手方向へ摺動させるとともに、側部フレーム部材と取付け用シャフトとがなす角の角度を変更することができ、固定部材にて固定した場合、前記角の角度を保持するようになしてある
請求項４記載の覆い用フレーム。
【請求項６】
第２固定部材を解除し、第２スライダを取付け用シャフトの側部フレーム部材から離隔する方向へ摺動させた場合、両取付け用シャフトは側部フレーム部材と略平行な姿勢に傾頭し得るようになしてある請求項５記載の覆い用フレーム。
【請求項７】
前記角の角度が鈍角になるまで変更可能になしてある請求項５又は６記載の覆い用フレーム。
【発明の詳細な説明】
【技術分野】
【０００１】
本発明は、日除け又は雨除け等として使用する覆いに適用するための覆い用フレームに関する。
【背景技術】
【０００２】
車椅子又は障害者用バギーといった移動体にあっては殆どの場合、日除け又は雨除け等として使用する覆いを具備しない構成になっているため、当該移動体に着脱可能な覆いの開発が要求されている。
【０００３】
かかる要求に応えるために次のような覆いが提案されている。
【０００４】
図１７は後記する特許文献１に開示された覆いの構造を示す斜視図であり、図中、１２０は日光又は雨等を除けるべく柔軟性が高い素材を用いて帯状に形成したシートである。
【０００５】
シート１２０の一端側は後述する筒状構造体１０２内に進退可能に収納されており、シート１２０の他端は、筒状構造体１０２の周面に該筒状構造体１０２の軸長方向に開設された開口部から引き出されて、前記筒状構造体１０２と平行に配された固定棒１０３に固定されている。
【０００６】
筒状構造体１０２の一端部及び固定棒１０３の一端部は略Ｌ字状のジョイント１０７，１０７の一端部に固定されており、ジョイント１０７，１０７の他端部には、例えば車椅子といった移動体の背もたれ部を構成する縦フレームの上端開口内に嵌入させることによって当該移動体に覆いを連結固定するための垂直筒状構造体１０４及び垂直アーム１０５の一端がそれぞれ固定してある。
【０００７】
垂直筒状構造体１０４内には前記シート１２０の幅より狭い幅になした垂直シート１２１の一端部側が進退可能に収納されており、該垂直シート１２１の他端は、垂直筒状構造体１０４の周面に該垂直筒状構造体１０４の軸長方向に開設された開口部から引き出されて、垂直筒状構造体１０４と平行に配された前記垂直アーム１０５に固定されている。
【０００８】
なお、前述したジョイント１０７，１０７をヒンジ構造になして、筒状構造体１０２、シート１２０及び固定棒１０３にて構成される庇部の角度を変更し得るようになしてもよい。
【０００９】
図１８は図１７に示した筒状構造体１０２の拡大縦断面図であり、図中、１１０は円筒状の外筒である。
【００１０】
外筒１１０の両端開口はキャップ状の塞止部材１１５，１１５によって塞止されており、塞止部材１１５，１１５の内面にはそれぞれ第１フック部１１１，１１１が突設されている。外筒１１０内には、前述したシート１２０の一端が固定された丸棒１１７が配してあり、丸棒１１７は前記塞止部材１１５，１１５から適宜距離を隔てて配設された軸受壁１１８，１１８にその両端をそれぞれ回転自在に支持されている。この丸棒１１７の両端面にはそれぞれ第２フック部１１２，１１２が突設してあり、各第２フック部１１２，１１２と対向する第１フック部１１１，１１１との間には環状のゴム部材１３０，１３０が掛け回してある。
【００１１】
このような筒状構造体１０２にあっては、前述した丸棒１１７の周面にシート１２０をその長手方向のほぼ全ての領域を巻回させた状態で筒状構造体１０２が組み立てられており、外筒１１０の周面に開設された前記開口部からシート１２０の他端を引き出した場合、丸棒１１７の回転に伴ってゴム部材１３０，１３０に捻じれが生じて、当該シート１２０に外筒１１０内へ引き戻す力が付勢されるようになっている。
【００１２】
前述した垂直筒状構造体１０４も図１２に示した筒状構造体１０２と同様の構造になっており、垂直筒状構造体１０４から垂直シート１２１を引き出した場合、当該垂直シート１２１には垂直筒状構造体１０４内へ引き戻す力が付勢される。
【００１３】
このような覆いにあっては、例えば両ジョイント１０７，１０７をそれぞれ把持し、ジョイント１０７，１０７を互いに離隔させることによって固定棒１０３及び垂直アーム１０５を対向する筒状構造体１０２及び垂直筒状構造体１０４から所要寸法だけ離隔させ、シート１２０及び垂直シート１２１をそれぞれ筒状構造体１０２及び垂直筒状構造体１０４から引き出す。この状態で、垂直アーム１０５及び垂直筒状構造体１０４の他端部を、例えば移動体の背もたれ部を構成する縦フレームの上端開口内に嵌入させることによって当該移動体に覆いを連結固定する。
【００１４】
このように覆いの幅寸法を任意に調節することができるので、種々のサイズの移動体に容易に取り付けることができる。また、如何なるサイズの移動体に取り付けた場合であっても、シート１２０及び垂直シート１２１には、筒状構造体１０２内及び垂直筒状構造体１０４内へ引き戻す力が付勢されるため、シート１２０及び垂直シート１２１は弛みが生じることなく展張される。
【００１５】
一方、垂直アーム１０５及び垂直筒状構造体１０４の他端部を、移動体の背もたれ部を構成する縦フレームの上端開口から引き抜くことによって、覆いを移動体から容易に取り外すことができる。シート１２０及び垂直シート１２１には前述した如く筒状構造体１０２内及び垂直筒状構造体１０４内へ引き戻す力が付勢されているため、固定棒１０３及び垂直アーム１０５を対向する筒状構造体１０２及び垂直筒状構造体１０４へ接近させるだけで、シート１２０及び垂直シート１２１は筒状構造体１０２内及び垂直筒状構造体１０４内へ収納される。これによって収納時には、固定棒１０３及び垂直アーム１０５と筒状構造体１０２及び垂直筒状構造体１０４とが近接して全体として倒立Ｌ字状の姿勢に保持されるため、収納スペースを狭くすることができる。
【先行技術文献】
【特許文献】
【００１６】
【特許文献１】特開２００４−６５８９５号公報
【発明の概要】
【発明が解決しようとする課題】
【００１７】
しかしながら、このような従来の覆いにあっては、取り外した際に収納スペースを狭くすることができるものの、固定棒１０３と筒状構造体１０２との間、及び垂直アーム１０５と垂直筒状構造体１０４との間にはそれぞれ、柔軟性が高いシート１２０及び垂直シート１２１しか介在しないため、外力に対抗するための強度が低く、例えば固定棒１０３又は筒状構造体１０２の一方に他方より強い外力が加わった場合、庇部に捻じれが容易に発生してしまうという問題があった。加えて、庇部に捻じれが発生した場合、庇部を構成するシート１２０に過大な負荷が印加されるので、シート１２０が破損する虞もあった。また、シート１２０及び垂直シート１２１の巻き取りはゴム部材１３０，１３０によって行われているが、ゴム部材１３０，１３０は耐候性及び耐久性が低いため、覆いの寿命が短い。
【００１８】
本発明は斯かる事情に鑑みてなされたものであって、収納スペースを狭くすることができる一方、構造上の強度が高く、外力が印加されてもシートといった覆い部材に負荷がかかるのを防止し得、更に耐久性が高く寿命が長い覆い用フレームを提供する。
【課題を解決するための手段】
【００１９】
本発明に係る覆い用フレームは、条材にて構成された一対の側部フレーム部材が長手方向と交わる方向へ距離を隔てて配してあり、両側部フレーム部材の長手方向の適宜位置にそれぞれ、取付対象体に取り付けるため取付け用シャフトが垂設してあり、相互に離隔させた両側部フレーム部材の間に覆い部材を展張すべくなしてある覆い用フレームにおいて、両側部フレーム部材の間にロッドが側部フレーム部材と同じ向きに配してあり、該ロッドの長手方向へ距離を隔てた位置に、ロッドと両側部フレーム部材とをリンクする少なくとも二対のリンク部材が、両側部フレーム部材にて定まる面と交わる軸周りに回動自在に連結してあり、前記ロッドの長手方向であって両対のリンク部材の間に、前記ロッドと両側部フレーム部材又は一方の対のリンク部材とをリンクして筋交いとなる一対の筋交い用リンク部材が、両側部フレーム部材にて定まる面と交わる軸周りに回動自在に連結してあり、前記筋交い用リンク部材と前記ロッドとの連結位置は当該ロッドの長手方向において固定及び変更可能になしてあることを特徴とする。
【００２０】
本発明の覆い用フレームにあっては、条材にて構成された一対の側部フレーム部材が長手方向と交わる方向、即ち覆い用フレームの幅方向へ距離を隔てて配してあり、両側部フレーム部材の長手方向の適宜位置にそれぞれ、車椅子といった取付対象体に取り付けるため取付け用シャフトが垂設してあり、相互に離隔させた両側部フレーム部材の間にカバー又はシートといった覆い部材を展張すべくなしてある。
【００２１】
具体的には、両側部フレーム部材の間にロッドが側部フレーム部材と同じ向き配してあり、該ロッドの長手方向へ距離を隔てた位置に、ロッドと両側部フレーム部材とをリンクする少なくとも二対のリンク部材が、両側部フレーム部材にて定まる面と交わる軸周りに回動自在に連結してあり、これによって両側部フレーム部材を互いに略平行を保った状態で変更することができる。
【００２２】
一方、ロッドの長手方向であって両対のリンク部材の間の位置に、前記ロッドと両側部フレーム部材又は一方の対のリンク部材とをリンクして筋交いとなる一対の筋交い用リンク部材が、両側部フレーム部材にて定まる面と交わる軸周りに回動自在に連結してある。このように筋交い用リンク部材は、前記二対のリンク部材、ロッド及び側部フレーム部材で囲まれる領域において筋交いとなるので、構造強度が高く、比較的大きな外力であっても容易に対抗することができる。
【００２３】
かかる筋交い用リンク部材と前記ロッドとの連結位置は当該ロッドの長手方向において固定及び変更可能になしてある。前述した両側部フレームとロッドとの間の寸法の変更に伴って、筋交い用リンク部材と前記ロッドとの連結位置の変更が生じる。従って、両側部フレームとロッドとの間を適宜の寸法に変更し、その状態で筋交い用リンク部材と前記ロッドとの連結位置を固定することによって、両側部フレームとロッドとの間の寸法を固定することができる。
【００２４】
両側部フレームとロッドとの間の寸法は、二対のリンク部材及び前記筋交い用リンク部材を展開することによって、前記一方の対のリンク部材の長さ寸法まで開くことができ、また、二対のリンク部材及び筋交い用リンク部材を折り畳むことによって、両側部フレーム及びロッドと二対のリンク部材及び筋交い用リンク部材とが略平行になるまで閉じることができる。従って、覆い用フレームの収納スペースを可及的に狭くすることができる。
【００２５】
また、両側部フレームは、それらの間に配したロッドと、該ロッドと両側部フレームとをリンクする二対のリンク部材及び筋交い用リンク部材によって支持されているため、前述したように構造上の強度が高く、外力が印加されてもシートといった覆い部材に負荷がかかるのを防止することができる。また、ゴム部材を使用していないので、耐久性が高く寿命が長い。
【００２６】
また、本発明に係る覆い用フレームは、条材にて構成された一対の側部フレーム部材が長手方向と交わる方向へ距離を隔てて配してあり、両側部フレーム部材の長手方向の適宜位置にそれぞれ、取付対象体に取り付けるため取付け用シャフトが垂設してあり、相互に離隔させた両側部フレーム部材の間に覆い部材を展張すべくなしてある覆い用フレームにおいて、両側部フレーム部材の間に側部フレーム部材と同じ向きに配されたロッドと、ロッドの一端側の位置に両側部フレーム部材にて定まる面と交わる軸周りに回動自在に連結してあり、当該ロッドと両側部フレーム部材とをリンクする一対の第１リンク部材と、両第１リンク部材からロッドの他端側へ距離を隔てた位置に前記面と交わる軸周りに回動自在に連結してあり、ロッドと両側部フレーム部材とをリンクする一対の第２リンク部材と、第１リンク部材と第２リンク部材との間に配してあり、前記ロッドに摺動可能に外嵌された第１スライダと、前記面と交わる軸周りに回動自在に連結してあり、両側部フレーム部材、両第１リンク部材又は両第２リンク部材と前記第１スライダとをリンクして筋交いとなる一対の第３リンク部材とを備え、前記第１スライダには、当該第１スライダをロッドに固定するための固定部材が設けてあり、該固定部材を解除した場合、第１スライダをロッドの長手方向へ摺動させるとともに、両側部フレーム部材の間の寸法を変更することができ、固定部材にて固定した場合、前記第３リンク部材が側部フレーム部材と中央ロッドとの間で突っ張って、両側部フレーム部材の間の寸法を保持するようになしてあることを特徴とする。
【００２７】
本発明の覆い用フレームにあっては、前同様、条材にて構成された一対の側部フレーム部材が長手方向と交わる方向へ距離を隔てて配してあり、両側部フレーム部材の長手方向の適宜位置にそれぞれ、取付対象体に取り付けるため取付け用シャフトが垂設してあり、相互に離隔させた両側部フレーム部材の間に覆い部材を展張すべくなしてある。
【００２８】
前記両側部フレーム部材の間にはロッドが側部フレーム部材と同じ向きに配してあり、このロッドの一端側の位置に、当該ロッドと両側部フレーム部材とをリンクする一対の第１リンク部材が、両側部フレーム部材にて定まる面と交わる軸周りに回動自在に連結してある。また、両第１リンク部材からロッドの他端側へ距離を隔てた位置に、前記ロッドと両側部フレーム部材とをリンクする一対の第２リンク部材が、前記面と交わる軸周りに回動自在に連結してある。これによって両側部フレーム部材を互いに略平行を保った状態で変更することができるようになっている。
【００２９】
前述したロッドの第１リンク部材と第２リンク部材との間には第１スライダがロッドの長手方向へ摺動可能に外嵌してある。そして、両側部フレーム部材、両第１リンク部材又は両第２リンク部材と第１スライダとは、前記面と交わる軸周りに回動自在に連結された一対の第３リンク部材にてリンクして筋交いになしてある。第３リンク部材は、第１リンク部材、ロッド、第２リンク部材及び側部フレーム部材で囲まれる領域において筋交いとなるので、構造強度が高く、比較的大きな外力であっても容易に対抗することができる。
【００３０】
また、第１スライダには、当該第１スライダをロッドに固定するための固定部材が設けてある。そして、固定部材を解除した場合、第１スライダをロッドの長手方向へ摺動させるとともに、両側部フレーム部材の間の寸法を変更することができ、固定部材にて固定した場合、第３リンク部材が側部フレーム部材と中央ロッドとの間で突っ張って、両側部フレーム部材の間の寸法を保持する。
【００３１】
このように、両側部フレームは、それらの間に配したロッドと、該ロッドと両側部フレームと、又はロッドと第１又は第２リンク部材とをリンクする第１〜第３リンク部材によって支持されているため、構造上の強度が高く、外力が印加されてもシートといった覆い部材に負荷がかかるのを防止することができる。また、ゴム部材を使用していないので、耐久性が高く寿命が長い。
【００３２】
一方、両側部フレームとロッドとの間の寸法は、第１リンク部材及び第２リンク部材、並びに第３リンク部材を展開することによって、第１リンク部材又は第２リンク部材の長さ寸法まで開くことができ、また、第１〜第３リンク部材を折り畳むことによって、両側部フレーム及びロッドと、第１〜第３リンク部材とが略平行になるまで収納することができる。従って、覆い用フレームの収納スペースを可及的に狭くすることができる。
【００３３】
また、このような展開操作及び収納操作は前記第１スライダに設けた固定部材の解放操作及び固定操作によって制御することができ、可及的に少ない操作で展開操作及び収納操作を制御することができる。
【００３４】
更に、本発明に係る覆い用フレームは、前記第１リンク部材は前記側部フレーム部材の長手方向の中途位置と前記ロッドの一端部との間に介装してあり、前記第２リンク部材は前記側部フレーム部材の端部と前記ロッドの他端部との間に介装してあり、前記ロッドの周面に、ロッドと側部フレーム部材との間の寸法を第１リンク部材又は第２リンク部材の長さ寸法と略同じになしたときに前記第１スライダが当接する当接部を設けて、第１スライダがロッドの他端から前記当接部までの領域を摺動し得るようになしてあることを特徴とする。
【００３５】
本発明の覆い用フレームにあっては、前述した第１リンク部材は前記側部フレーム部材の長手方向の中途位置と前記ロッドの一端部との間に介装してあり、前記第２リンク部材は前記側部フレーム部材の端部と前記ロッドの他端部との間に介装してある。
【００３６】
ロッドの周面には、ロッドと側部フレーム部材との間の寸法を第１リンク部材又は第２リンク部材の長さ寸法と略同じになしたときに第１スライダが当接する凸部又はリングといった当接部が設けてあり、これによって第１スライダは当該ロッドの他端から前記当接部までの領域を摺動し得るようになしてある。
【００３７】
ロッドと側部フレーム部材との間の寸法を第１リンク部材又は第２リンク部材の長さ寸法と略同じになしたとき、すなわち両側部フレーム部材の間を可及的に展開したとき、第１スライダが前記当接部に当接するため、両側部フレーム部材に過大な展開力が印加された場合であっても、当該力は当接部を介してロッドに伝わって第３リンク部材には伝わらないので、第３リンク部材の変形といった部品破損を防止することができる。
【００３８】
一方、かかる当接部によって第１スライダの摺動領域がロッドの他端から当該当接部までの領域に制限されるため、覆い用フレームを収納する際にロッドが側部フレーム部材の他端側へ移動することが防止され、覆い用フレームを所望の収納様態になすことができる。
【００３９】
一方、本発明に係る覆い用フレームは、前記両取付け用シャフトは対応する側部フレーム部材に、取付け用シャフトと側部フレーム部材とで定まる面内で揺動可能に取り付けてあることを特徴とする。
【００４０】
本発明の覆い用フレームにあっては、両取付け用シャフトは対応する側部フレーム部材に、取付け用シャフトと側部フレーム部材とで定まる面内で揺動可能に取り付けてあるため、側部フレーム部材と取付け用シャフトとがなす角の角度を変更することができる。これによって、両側部フレーム部材の姿勢を調整することができ、また収納時にあっては両取付け用シャフトを折り畳むことによって、収納スペースを更に狭くすることができる。
【００４１】
また、本発明に係る覆い用フレームは、前記取付け用シャフトには第２スライダが、当該取付け用シャフトの長手方向へ摺動可能に外嵌してあり、第２スライダには該第２スライダを取付け用シャフトに固定するための第２固定部材が設けてあり、取付け用シャフトと側部フレーム部材とで定まる面に交わる軸周りに回動自在に連結してあり、前記第２スライダと側部フレーム部材とをリンクする第４リンク部材が設けてあり、第２固定部材を解除した場合、第２スライダを取付け用シャフトの長手方向へ摺動させるとともに、側部フレーム部材と取付け用シャフトとがなす角の角度を変更することができ、固定部材にて固定した場合、前記角の角度を保持するようになしてあることを特徴とする。
【００４２】
本発明の覆い用フレームにあっては、前述した取付け用シャフトには第２スライダが、取付け用シャフトの長手方向へ摺動可能に外嵌してあり、この第２スライダには第２スライダを取付け用シャフトに固定するための第２固定部材が設けてある。また、第２スライダと側部フレーム部材とは、取付け用シャフトと側部フレーム部材とで定まる面に交わる軸周りに回動自在に連結された第４リンク部材にてリンクしてある。
【００４３】
そして、第２固定部材を解除した場合、第２スライダを取付け用シャフトの長手方向へ摺動させるとともに、側部フレーム部材と取付け用シャフトとがなす角の角度を変更することができ、固定部材にて固定した場合、前記角の角度を保持するようになしてある。
【００４４】
このように側部フレーム部材と取付け用シャフトとがなす角の角度を変更して、その姿勢を保持することができるため、覆い用フレームの両取付け用シャフトを取付け対象体に取り付けた場合、両側部フレームの傾斜角度を適宜調整することができる。
【００４５】
更に、本発明に係る覆い用フレームは、第２固定部材を解除し、第２スライダを取付け用シャフトの側部フレーム部材から離隔する方向へ摺動させた場合、両取付け用シャフトは側部フレーム部材と略平行な姿勢に傾頭し得るようになしてあることを特徴とする。
【００４６】
本発明の覆い用フレームにあっては、第２固定部材を解除し、取付け用シャフトを折り畳むべく、第２スライダを取付け用シャフトの側部フレーム部材から離隔する方向へ摺動させた場合、両取付け用シャフトは側部フレーム部材と略平行な姿勢に傾頭し得るようになしてある。従って、覆い用フレームを更にコンパクトに収納することができる。
【００４７】
一方、本発明に係る覆い用フレームは、前記角の角度が鈍角になるまで変更可能になしてあることを特徴とする。
【００４８】
本発明の覆い用フレームにあっては、第４リンク部材の長さ及び連結位置等を調整することによって、側部フレーム部材と取付け用シャフトとがなす角の角度が鈍角になるまで変更可能になしてある。これによって、例えば取付け対象体上の使用者を第三者が介助する際に、側部フレーム部材が邪魔にならず、スムーズに介助することができる。
【図面の簡単な説明】
【００４９】
【図１】本発明に係る覆い用フレームを十分に展開した状態を示す平面図である。
【図２】本発明に係る覆い用フレームを十分に展開した状態を示す側面図である。
【図３】中央ロッドに設けた当接部を説明する説明図である。
【図４】側部フレーム部材の角度調整を説明する説明図である。
【図５】展開した覆い用フレームにカバーを取り付けた状態を示す斜視図である。
【図６】本発明に係る覆い用フレームを収納した状態を示す平面図である。
【図７】図６に示した覆い用フレームの側面図である。
【図８】本発明に係る覆い用フレームを相対的に狭い幅寸法に展開した状態を示す平面図である。
【図９】図５に示したカバーを取り付けた覆い用フレームをバギーに取り付けた状態を示す斜視図である。
【図１０】異なる形状のカバーを取り付けた覆い用フレームをバギーに取り付けた状態を示す斜視図である。
【図１１】第３リンク部材のリンク状態を変更させた覆い用フレームを展開した状態を示す平面図である。
【図１２】第３リンク部材のリンク状態を変更させた覆い用フレームを収納した状態を示す平面図である。
【図１３】第３リンク部材のリンク状態を更に変更させた覆い用フレームを展開した状態を示す平面図である。
【図１４】第３リンク部材のリンク状態を更に変更させた覆い用フレームを収納した状態を示す平面図である。
【図１５】実施形態２に係る覆い用フレームを展開した状態を示す平面図である。
【図１６】図１５に示した覆い用フレームを収納した状態を示す平面図である。
【図１７】従来の覆いの構造を示す斜視図である。
【図１８】図１７に示した筒状構造体の拡大縦断面図である。
【発明を実施するための形態】
【００５０】
（実施形態１）
本発明を図面に基づいて詳述する。
図１及び図２は、本発明に係る覆い用フレームを十分に展開した状態を示す平面図及び側面図であり、図中、２，２は、一対の条材を互いに平行に配置してなる側部フレーム部材である。
【００５１】
側部フレーム部材２，２の一端部は所要の形状に成形してある。図１及び図２に示した場合にあっては、側部フレーム部材２，２の一端部は使用態様における鉛直方向へなだらかに湾曲させると共に、側部フレーム部材２，２の先端部は１／４周程度になるように互いに内側へ湾曲させてある。
【００５２】
なお、側部フレーム部材２，２の一端部の形状はこれに限らず、少なくとも日除け又は雨除けといった覆いとしての機能を発揮することができ、また後述する如く収納した際に可及的にコンパクトになる形状であればよい。
【００５３】
両側部フレーム部材２，２の間には、当該側部フレーム部材２，２の長さ寸法より短い長さ寸法になした中央ロッド（ロッド）５が両側部フレーム部材２，２と平行に配置してある。中央ロッド５の一端部であって底部側の周面にはそれぞれ、舌片状の第１台座部２１，２１が側部フレーム部材２，２へ向かって突設してあり、側部フレーム部材２，２の底部側の周面であって前記第１台座部２１，２１に対向する位置には、舌片状の第４台座部２４，２４が中央ロッド５へ向かって突設してある。なお、側部フレーム部材２，２の一端部であって、前述した鉛直方向へなだらかに湾曲させた部分は、前記第４台座部２４，２４を設けた位置が起点となっている。
【００５４】
第１台座部２１，２１と対向する第４台座部２４，２４との間には、適宜の長さ寸法になした帯板状の第１リンク部材１１，１１がその両端部が対向する第１台座部２１，２１及び第４台座部２４，２４と重なるように配置してある。第１台座部２１，２１及び第４台座部２４，２４、並びに第１リンク部材１１，１１の両端部には図示しない貫通孔が予め開設してあり、第１リンク部材１１，１１及び第１台座部２１，２１、並びに第１リンク部材１１，１１及び第４台座部２４，２４は、相互に対向する貫通孔にボルト又はピンといった連結部材２０，２０，２０，２０をそれぞれ挿通させることによって、第１台座部２１，２１及び第４台座部２４，２４と第１リンク部材１１，１１とが連結部材２０，２０，２０，２０の中心軸周りに回動自在に連結してある。
【００５５】
また、中央ロッド５の他端であって底部側の周面にはそれぞれ、舌片状の第２台座部２２，２２が側部フレーム部材２，２へ向かって突設してあり、側部フレーム部材２，２の他端であって第２台座部２２，２２に対向する位置の底部側の周面には、舌片状の第５台座部２５，２５が中央ロッド５へ向かって突設してある。
【００５６】
第２台座部２２，２２と対向する第５台座部２５，２５との間には、第１リンク部材１１，１１の長さ寸法と略同じ長さ寸法になした帯板状の第２リンク部材１２，１２がその両端部が対向する第２台座部２２，２２及び第５台座部２５，２５と重なるように配置してある。第２台座部２２，２２及び第５台座部２５，２５、並びに第２リンク部材１２，１２の両端部には図示しない貫通孔が予め開設してあり、第２リンク部材１２，１２及び第２台座部２２，２２、並びに第２リンク部材１２，１２及び第５台座部２５，２５は、相互に対向する貫通孔に連結部材２０，２０，２０，２０をそれぞれ挿通させることによって、第２台座部２２，２２及び第５台座部２５，２５と第２リンク部材１２，１２とが連結部材２０，２０，２０，２０の中心軸周りに回動自在に連結してある。
【００５７】
更に、中央ロッド５には短寸筒状の第１スライダ３１が中央ロッド５の長手方向へ摺動自在に外嵌してあり、該第１スライダ３１の周面の両側部フレーム部材２，２に対向する位置にはそれぞれ、舌片状の第３台座部２３，２３が側部フレーム部材２，２へ向かって突設してある。また、側部フレーム部材２，２の他端近傍の底部側の周面には、舌片状の第６台座部２６，２６が中央ロッド５へ向かって突設してある。
【００５８】
第３台座部２３，２３と第６台座部２６，２６との間には、第１リンク部材１１，１１及び第２リンク部材１２，１２の長さ寸法より長い長さ寸法になしてあり、筋交いとして機能する帯板状の第３リンク部材（筋交い用リンク部材）１３，１３が、その両端部が対向する第３台座部２３，２３及び第６台座部２６，２６と重なるように配置してある。なお、本実施形態では第３リンク部材１３，１３は第１リンク部材１１，１１及び第２リンク部材１２，１２より長くなしてあるが、第３リンク部材１３，１３の長さ寸法は設計によっては第１リンク部材１１，１１又は第２リンク部材１２，１２の長さ寸法より短くなってもよい。
【００５９】
第３台座部２３，２３及び第６台座部２６，２６、並びに第３リンク部材１３，１３の両端部には図示しない貫通孔が予め開設してあり、第３リンク部材１３，１３及び第３台座部２３，２３、並びに第３リンク部材１３，１３及び第６台座部２６，２６は、相互に対向する貫通孔に連結部材２０，２０，２０，２０を挿通させることによって、第３台座部２３，２３及び第６台座部２６，２６と第３リンク部材１３，１３とが連結部材２０，２０，２０，２０の中心軸周りに回動自在に連結してある。
【００６０】
前述したように第３リンク部材１３，１３は第１リンク部材１１，１１及び第２リンク部材１２，１２の長さ寸法より長い長さ寸法であり、この第３リンク部材１３，１３によって側部フレーム部材２，２の他端近傍に設けた第６台座部２６，２６と中央ロッド５に外嵌した第１スライダ３１とを連結してあるので、両第３リンク部材１３，１３は平面視が、図１に示したように、側部フレーム部材２，２の一端側へ凸なく字状をなしている。
【００６１】
なお、第６台座部２６，２６を前述した第４台座部２４，２４の近傍の位置に配設することによって、両第３リンク部材１３，１３を平面視が側部フレーム部材２，２の他端側へ凸なく字状になしてもよい。かかる構成になした場合であっても、第３リンク部材１３，１３は筋交いとして機能する。
【００６２】
第１スライダ３１の天井部分には、該天井部分を貫通するネジ穴が開設してあり、このネジ穴にはノブボルトといった第１固定部材４１が螺合してある。この第１固定部材４１を固定することによって第１スライダ３１を中央ロッド５に固着させて、両側部フレーム部材２，２間の寸法、即ち覆い用フレーム１の幅寸法を固定することができ、一方、第１固定部材４１を解放することによって第１スライダ３１を中央ロッド５の長手方向へ摺動可能として、覆い用フレーム１の幅寸法を変更し得るようになっている。
【００６３】
また、中央ロッド５の周面には、覆い用フレーム１を十分に展開したときに第１スライダ３１の第１リンク部材１１，１１側の端部が当接する当接部が設けてある。
【００６４】
図３は中央ロッド５に設けた当接部を説明する説明図である。なお、図中、図１に示した部分に対応する部分には同じ番号を付してその説明を省略する。
【００６５】
図３に示したように、中央ロッド５の周面に環状の溝部７が中央ロッド５の中心軸と同心円上に設けてあり、該溝部７にＥリングといったリング部材を嵌合させて、該リング部材の周縁部を中央ロッド５の周面から突出させて当接部６が形成してある。これによって、第１スライダ３１は中央ロッド５の他端から当接部６までの間の領域を摺動し得るようになっている。
【００６６】
覆い用フレーム１（図１参照）を十分に展開したとき、第１スライダ３１が前記当接部６に当接するため、両側部フレーム部材２，２（図１参照）に過大な展開力が印加された場合であっても、当該力は当接部６を介して中央ロッド５に伝わって第３リンク部材１３，１３（図１参照）には伝わらないので、第３リンク部材１３，１３の変形といった部品破損を防止することができる。
【００６７】
一方、かかる当接部６によって第１スライダ３１の摺動領域が中央ロッド５の他端から当該当接部６までの領域に制限されるため、覆い用フレーム１を収納する際に中央ロッド５が側部フレーム部材２，２（図１参照）の他端側へ移動することが禁止され、覆い用フレーム１を後述する所望の収納様態になすことができる。
【００６８】
なお、当接部６は本例に限らず、例えば、溶接等によって中央ロッド５の周面に盛上がりを設けることによって実現してもよいし、また、中央ロッド５に筒体を外嵌させることによって実現してもよい。
【００６９】
一方、図１及び図２に示したように、側部フレーム部材２，２の他端であって側部側の周面には舌片状の第７台座部２７，２７が垂設してある。第７台座部２７，２７の下端部にはそれぞれ短寸筒状のホルダ４５（４５）が、第７台座部２７，２７及びホルダ４５（４５）を貫通させた連結部材２０（２０）周りに回動自在に連結してある。このホルダ４５（４５）には、車椅子といった取付け対象体に取り付けるための取付け用シャフト８（８）の上端部が嵌合固定してあり、該取付け用シャフト８（８）には短寸筒状の第２スライダ３２（３２）が取付け用シャフト８（８）の長手方向へ摺動自在に外嵌してある。
【００７０】
第２スライダ３２（３２）の外側部側の周面には該周面を貫通するネジ穴が開設してあり、このネジ穴にはノブボルトといった第２固定部材４２（４２）が螺合してある。そして、第２固定部材４２（４２）を締め付ける固定操作を行うことによって第２スライダ３２（３２）を取付け用シャフト８（８）に固着し、また、第２固定部材４２（４２）を緩める解放操作を行うことによって第２スライダ３２（３２）を取付け用シャフト８（８）の長手方向へ摺動可能としてある。
【００７１】
この第２スライダ３２（３２）の周面には舌片状の第９台座部２９（２９）が、前記側部フレーム部材２，２に臨ませて突設してある。また、側部フレーム部材２，２の外側部側の周面であって他端近傍の位置には舌片状の第８台座部２８，２８が垂設してある。これら第８台座部２８，２８と第９台座部２９（２９）との間には適宜長さの帯板状の側部リンク部材１４（１４）が、その両端部が対向する第８台座部２８，２８及び第９台座部２９（２９）と重なるように配置してある。そして、側部リンク部材１４（１４）の一端部及び第８台座部２８，２８に連結部材２０（２０）を貫通させ、また側部リンク部材１４（１４）の他端部及び第９台座部２９（２９）に連結部材２０（２０）を貫通させることによって、第８台座部２８，２８及び第９台座部２９（２９）と側部リンク部材１４（１４）とが連結部材２０，２０（２０，２０）の中心軸周りに回動自在に連結してある。
【００７２】
このような覆い用フレーム１にあっては、図５に示した如く、平面視が長方形状のカバーＣを側部フレーム部材２，２の長手方向の全領域及び両側部フレーム部材２，２の間の領域を覆うように装着させる。なお、カバーＣには側部フレーム部材２，２に係止し得るように、その周縁部に内側に折り込んだ折込み部（図示せず）を形成しておき、また、カバーＣの適宜の位置に、前述した第１スライダ３１を固定する第１固定部材４１を突出させるための切り込み６０を設けておくとよい。
【００７３】
そして、カバーＣが装着された覆い用フレーム１を、例えば図９に示した如き姿勢保持用のバギーＢに、カバーＣをバギーＢの座部Ｓ上に位置させ、覆い用フレーム１の取付け用シャフト８（８）を、バギーＢの背部フレームである管状のバックレスト５１（５１）の上端開口からバックレスト５１（５１）内へ挿入させることによって、着脱可能に取り付ける。なお、かかる取付け操作前後の適宜のタイミングで、第１固定部材４１を固定して第１スライダ３１を中央ロッド５（いずれも図１参照）に固着しておき、後述する如く側部フレーム部材２，２が覆い用フレーム１の幅方向へ変位することを防止する。
【００７４】
このようなバギーＢにあっては、カバーＣが装着された覆い用フレーム１が取り付けられているので、座部Ｓ上のカバーＣが覆いとなり、日除け又は雨除け等の効果を奏する。
【００７５】
また、図４に示したように、第２固定部材４２（４２）（図２参照）を緩める解放操作を実施して、第２スライダ３２（３２）を取付け用シャフト８（８）の長手方向へ摺動させることによって、該第２スライダ３２（３２）に連結された側部リンク部材１４（１４）を介して側部フレーム部材２（２）の傾きを調整することができる。調整後は、第２固定部材４２（４２）を締める固定操作を実施して第２スライダ３２（３２）を取付け用シャフト８（８）に固着して、側部フレーム部材２（２）の姿勢を保持する。
【００７６】
図４に示した如く、本発明に係る覆い用フレーム１にあっては、第２スライダ３２（３２）を取付け用シャフト８（８）の上端近傍まで摺動させたとき、側部フレーム部材２（２）が水平を基準としてそれより上を向く姿勢になり、第２スライダ３２（３２）を取付け用シャフト８（８）の上端から離隔する方向へ摺動させたとき、側部フレーム部材２（２）が水平を基準としてそれより下を向く姿勢になるようになしてある。なお、第２スライダ３２（３２）を取付け用シャフト８（８）の上端から更に離隔する方向へ摺動させると、後述するように側部フレーム部材２（２）は取付け用シャフト８（８）と略平行の姿勢まで折り畳むことができるようになっている。
【００７７】
側部フレーム部材２（２）が水平より下を向く姿勢に調整した場合、低い高さ位置からの太陽光であっても、当該太陽光がバギーＢ（図９参照）の座部Ｓ上の使用者に照射されることを可及的に防止することができる。
【００７８】
一方、側部フレーム部材２（２）が水平より上を向く姿勢に調整した場合、バギーＢ（図９参照）の座部Ｓ上の使用者を第三者が介助する際に、側部フレーム部材２（２）及びカバーＣが邪魔にならず、スムーズに介助することができる。
【００７９】
なお、カバーＣの形状は種々設定することができ、例えば図１０に示したように、両側部の幅寸法をより大きくしたものであってもよい。
【００８０】
このとき、図１に示した如く、中央ロッド５とその両側に配された側部フレーム部材２，２とを、互いに中央ロッド５の長手方向へ適宜距離を隔てて配された第１リンク部材１１，１１及び第２リンク部材１２，１２にて連結しているため、側部フレーム部材２、第１リンク部材１１、中央ロッド５、第２リンク部材１２にて構成される２つの矩形枠構造が形成され、更に両矩形枠構造内にそれぞれ斜めに掛け渡された第３リンク部材１３，１３が筋交いとして作用するため、本覆い用フレーム１は十分に高い構造強度を具備する。また、ゴム部材を使用していないので耐久性が高く寿命も長い。更に、覆い用フレーム１に外力が印加されてもカバーＣに負荷がかかるのを防止することができるため、カバーＣの破損を回避することができる。
【００８１】
なお、覆い用フレーム１を構成する各部品は、強度及び耐久性の観点から金属製が好ましいが、所要の強度及び耐久性を有する樹脂製で一部又は全部を構成することもできる。
【００８２】
ところで、図９に示したバギーＢを折り畳む際など場合にあっては、カバーＣ及び覆い用フレーム１が邪魔となるので、覆い用フレーム１の取付け用シャフト８（８）を、バギーＢのバックレスト５１，５１から抜き出すことによって、カバーＣを装着した覆い用フレーム１をバギーＢから取り外す。
【００８３】
そして、第１固定部材４１を緩める解放操作を実施した後、側部フレーム部材２，２に内側へ向かう力を加えて側部フレーム部材２，２を互いに接近させることによって、第１リンク部材１１，１１、第２リンク部材１２，１２及び第３リンク部材１３，１３をそれぞれ連結部材２０，２０，…の中心軸周りに回動させ、第１スライダ３１を摺動させつつ中央ロッド５を側部フレーム部材２，２の一端側へ移動させることによって、図６に示した如く、覆い用フレーム１をその幅寸法が可及的に狭くなるように収納する。
【００８４】
このとき、第１リンク部材１１，１１及び第２リンク部材１２，１２の長さ寸法が互いに略同じであるので、第１リンク部材１１，１１及び第２リンク部材１２，１２にて支持された側部フレーム部材２，２は互いに平行な姿勢で収納されて行く。そのため、収納操作中、側部フレーム部材２，２は相互に、またその周囲の部材と干渉することが回避され、スムーズに収納操作を実施することができる。
【００８５】
また、第２固定部材４２（４２）を解放した後、取付け用シャフト８（８）に内側へ向かう力を加えることによって、第２スライダ３２（３２）を取付け用シャフト８（８）の上端から離隔する方向へ摺動させ、図７に示した如く、取付け用シャフト８（８）を側部フレーム部材２（２）と略平行の姿勢になるまで折り畳む。
【００８６】
なお、かかる状態で第１固定部材４１及び第２固定部材４２（４２）を固定することによって、覆い用フレーム１を棒状の収納姿勢に保持することができる。
【００８７】
このように本発明に係る覆い用フレーム１にあってはコンパクトに収納することできるため、収納スペースを可及的に狭くすることができる。第１固定部材４１及び第２固定部材４２（４２）を固定することによって、覆い用フレーム１を収納姿勢に保持することができるため、その状態で覆い用フレーム１を移送しても、当該覆い用フレーム１が不意に展開することが防止され、安全性が高い。
【００８８】
また、覆い用フレーム１をその幅寸法が可及的に狭くなるように収納した場合であっても、図６に示した如く、中央ロッド５が両側部フレーム部材２，２の端部から突出しないため、覆い用フレーム１の収納スペースをより狭くすることができる。加えて、覆い用フレーム１を閉じた状態で持ち運ぶ場合に、突出する部材が無いので、覆い用フレーム１の一部が周囲の物に引っ掛かるといった事態が可及的に回避され、安全性が高い。
【００８９】
ところで、覆い用フレーム１は、該覆い用フレーム１を取付ける対象体の幅寸法に応じて、両側部フレーム部材２，２間の寸法を任意に変更することができる。
【００９０】
図８は、覆い用フレームを展開した状態を示す平面図であり、相対的に狭い幅寸法になしてある。第１固定部材３１を解放しておき、両側部フレーム部材２，２の間の距離を適宜調整した後に第１固定部材３１を固定する。
【００９１】
図８に示した如く、中央ロッド５はその他端が側部フレーム部材２の他端より少し側部フレーム部材２の一端側に位置しており、また第１リンク部材１１，１１及び第２リンク部材１２，１２が、側部フレーム部材２，２の一端側へ凸なく字状をなした状態で展開保持されている。
【００９２】
このように覆い用フレーム１は、図１に示した覆い用フレーム１の幅寸法より狭い幅寸法に展開されており、これによって取付け対象体がより狭い幅寸法の場合であっても、それに適合させて取り付けることができる。
【００９３】
以上、詳述したように本実施形態の覆い用フレーム１にあっては、第３リンク部材１３，１３を、第１スライダ４１に設けた第３台座部２３，２３と側部フレーム部材２，２の他端近傍に設けた第６台座部２６，２６との間に架設した場合について説明したが、本発明はこれに限らず、図１１及び図１２に示したように、第６台座部２６，２６を第２リンク部材１２，１２の適宜位置に設けておき、当該第６台座部２６，２６と第３台座部２３，２３との間に第３リンク部材１３，１３を架設して、第３リンク部材１３，１３によって第１スライダ４１と第２リンク部材１２，１２とをリンクするように構成してもよいことは言うまでもない。
【００９４】
更に言えば、第６台座部２６，２６を第１リンク部材１１，１１の適宜位置に設けておき、当該第６台座部２６，２６と第３台座部２３，２３との間に第３リンク部材１３，１３を架設することもできる。
【００９５】
また、図１３及び図１４に示したように、側部フレーム部材２，２の他端近傍に、前述した第５台座部２５，２５と第６台座部２６，２６とを共用させた共用台座部３０，３０を設けておき、前述した第２リンク部材１２，１２は当該共用台座部３０，３０と第２台座部２２，２２との間に、前述した第３リンク部材１３，１３は当該共用台座部３０，３０と第３台座部２３，２３との間にそれぞれ架設してもよい。
【００９６】
更に言えば、側部フレーム部材２，２の他端側に、前述した第４台座部２４，２４と第６台座部２６，２６とを共用させた共用台座部を設けておき、前述した第１リンク部材１１，１１は当該共用台座部と第１台座部２１，２１との間に、前述した第３リンク部材１３，１３は当該共用台座部と第３台座部２３，２３との間にそれぞれ架設することもできる。
【００９７】
（実施形態２）
図１５は実施形態２に係る覆い用フレームを展開した状態を示す平面図であり、側部フレーム部材を長手方向の中途位置で外側へ屈曲させてある。また、図１６は図１５に示した覆い用フレームを収納した状態を示す平面図である。なお、両図中、図１及び図６に示した部分に対応する部分には同じ番号を付してその説明を省略する。
【００９８】
図１５に示したように、対をなす側部フレーム部材２ａ，２ａは長手方向の他端側の適宜位置で互いに外側へ屈曲させてあり、覆い用フレーム１ａが展開した状態で側部フレーム部材２ａ，２ａの他端側の部分が互いに平行になるように配設してある。すなわち、覆い用フレーム１ａは、側部フレーム部材２ａ，２ａの屈曲させた位置から側部フレーム部材２ａ，２ａの一端側に向かうに従って、側部フレーム部材２ａ，２ａ間の寸法が漸次広くなっている。なお、第１リンク部材１１ａ，１１ａの長さ寸法は、第２リンク部材１２，１２の長さ寸法より長い。
【００９９】
本実施形態の覆い用フレーム１ａにあっては、このように側部フレーム部材２ａ，２ａの屈曲させた位置から側部フレーム部材２ａ，２ａの一端側に向かうに従って、側部フレーム部材２ａ，２ａ間の寸法が漸次広くなっているため、バギーＢ（図９参照）の座部Ｓ上の使用者に照射される太陽光をより幅広く阻止することができる。
【０１００】
一方、本実施形態の覆い用フレーム１ａを収納した場合、図１６に示した如く、側部フレーム部材２ａ，２ａの屈曲させた位置間の距離が最も狭くなるように側部フレーム部材２ａ，２ａが互いに接近するため、側部フレーム部材２ａ，２ａの一端側間の隙間を可及的に狭くすることができる。従って、側部フレーム部材２ａ，２ａの屈曲させた位置から側部フレーム部材２ａ，２ａの一端側に向かうに従って、側部フレーム部材２ａ，２ａ間の寸法が漸次広く構成した場合であっても、覆い用フレーム１ａを可及的にコンパクトに収納することができる。
【符号の説明】
【０１０１】
１    覆い用フレーム
２    側部フレーム部材
５    中央ロッド（ロッド）
６    当接部
８    取付け用シャフト
１１    第１リンク部材
１２    第２リンク部材
１３    第３リンク部材（筋交い用リンク部材）
１４    側部リンク部材
２０    連結部材
３１    第１スライダ
３２    第２スライダ
４１    第１固定部材
４２    第２固定部材
【図１】
2013230780.tif 000003
【図２】
2013230780.tif 000004
【図３】
2013230780.tif 000005
【図４】
2013230780.tif 000006
【図５】
2013230780.tif 000007
【図６】
2013230780.tif 000008
【図７】
2013230780.tif 000009
【図８】
2013230780.tif 000010
【図９】
2013230780.tif 000011
【図１０】
2013230780.tif 000012
【図１１】
2013230780.tif 000013
【図１２】
2013230780.tif 000014
【図１３】
2013230780.tif 000015
【図１４】
2013230780.tif 000016
【図１５】
2013230780.tif 000017
【図１６】
2013230780.tif 000018
【図１７】
2013230780.tif 000019
【図１８】
2013230780.tif 000020